(57)【要約】【課題】ロゴ又は商標のようなパターンを含み、竜頭がチューブにネジ留めされた後、前記竜頭の端面に用いられたロゴ又は商標の位置を、定められた位置又は方向に容易に調節することができる、簡単かつ経済的な構造のネジ留め式竜頭を提供すること。【解決手段】本発明は、ヘッドと、中央部分と、側方スカートとを含み、ヘッドが意匠を有する端面を含む時計用ネジ留め式竜頭に関し、該竜頭は、端面が一方の面に意匠が施された基材を含み、該基材はヘッド内で回転できるように取り付けられ、竜頭が該竜頭の回転軸の周りで前記ヘッドに対して異なる角度方向で基材を保持するように構成されたブレーキ手段を更に含むことを特徴とする。【選択図】図２
2004138613.tif 000002
【特許請求の範囲】
【請求項１】
　ヘッドと、中央部分と、側方スカートとを含み、前記ヘッドが意匠を有する端面を含む時計用竜頭において、
　前記端面が一方の面に前記意匠が施された基材を含み、該基材は前記ヘッド内で回転できるように取り付けられ、前記竜頭の回転軸の周りで前記ヘッドに対して異なる角度方向で前記基材を竜頭が保持するように構成されたブレーキ手段を更に含むことを特徴とする竜頭。
【請求項２】
　前記ブレーキ手段が、摩擦により作用することを特徴とする請求項１に記載の竜頭。
【請求項３】
　前記ブレーキ手段が、弾性環状要素を備えることを特徴とする請求項２に記載の竜頭。
【請求項４】
　前記環状要素が、前記竜頭の回転軸に平行な方向で弾性を有することを特徴とする請求項３に記載の竜頭。
【請求項５】
　前記ブレーキ手段が、圧縮性材料で作られた環状連結部材により形成されることを特徴とする前出の請求項のいずれかに記載の竜頭。
【請求項６】
　前記中央部分がヘッドに付加され、該中央部分がその端部の一方にディスクが取り付けられたチューブを含み、前記基材が環状縁部を含み、前記基材が、前記ディスクと前記ヘッドの間で該縁部により軸方向に把持されることを特徴とする前出の請求項のいずれかに記載の竜頭。
【請求項７】
　前記ブレーキ手段が、前記ディスクと前記基材との間に配置されることを特徴とする請求項６に記載の竜頭。
【請求項８】
　竜頭がネジ留め式であることを特徴とする前出の請求項のいずれかに記載の竜頭。
【発明の詳細な説明】
【技術分野】
【０００１】
　本発明は、時計用ネジ留めすなわちネジ式竜頭に関し、より具体的には、端面に意匠又はロゴを含み、前記意匠を要求通りに配向することができるタイプの竜頭に関する。
【背景技術】
【０００２】
　ネジ留め式竜頭は、腕時計の巻真すなわち制御ステムにおける防水性を向上させるようにして、腕時計に取り付けられている。このタイプの竜頭は、腕時計を巻いて正しい時刻等に設定することができるネジをゆるめた位置と、腕時計ケースの中間部材に打ち込まれたチューブに竜頭をネジ留めしてロックし、シーリングガスケットを圧縮するようにして、腕時計の防水性を向上させたネジ込んだ位置とを取ることができる特性を有する。従って、ネジ込んだ位置は腕時計が装着される際の通常の位置に相当する。
【０００３】
　腕時計ケース上のこのネジ留め式竜頭の製造及び組み立ては公知である。しかしながら、このような竜頭を組み立てる方法は、例えば、ロゴ、商標又は同様のもののような銘又は意匠を有するネジ留め式竜頭には不向きである。実際、公知の製造方法は、ネジをゆるめた後で竜頭を必ずしもケースに対して定められた方向にもっていくことができるとは限らず、竜頭の端面に銘が施されている場合にはケースの審美的外観を損なうものである。勿論、該竜頭が高品質な高級製品に取り付けられる場合にはこの状況は容認できるものではない。
【発明の開示】
【発明が解決しようとする課題】
【０００４】
　本発明の主な目的は、ロゴ又は商標のようなパターンを含み、竜頭がチューブにネジ留めされた後、前記竜頭の端面に用いられたロゴ又は商標の位置を、定められた位置又は方向に容易に調節することができる、簡単かつ経済的な構造のネジ留め式竜頭を提供することにより、前述の先行技術の欠点を克服することである。
【課題を解決するための手段】
【０００５】
　従って、本発明は、ヘッドと、中央部分と、側方スカートとを含み、ヘッドが意匠を有する端面を含む時計用ネジ留め式竜頭に関し、該竜頭は、端面が一方の面に意匠が施された基材を含み、該基材はヘッド内で回転できるように取り付けられ、竜頭が該竜頭の回転軸の周りで前記ヘッドに対して異なる角度方向で基材を保持するように構成されたブレーキ手段を更に含むことを特徴とする。
【０００６】
　これらの特徴のため、ネジ込んだ位置に竜頭があると、ブレーキ手段の力に逆らって単にヘッドに対して相対的に基材を回転させることにより、基材によって指示される意匠の向きを中央部分対して所望の位置に容易に調節することができる。前記ブレーキ手段により生成されるブレーキ力は、勿論、腕時計が巻かれている際に、基材が偶発的に回転できないように調節されると同時に、基材が移動してその向きを調節することを可能にしている。
【０００７】
　本発明の有利な特徴により、ブレーキ手段は基材上で摩擦により作用する。摩擦ブレーキ手段を利用することにより、基材の向き、従って腕時計の中央部分に対するパターンの向きを連続して精密に調節することが可能となる。
【発明を実施するための最良の形態】
【０００８】
　本発明の他の特徴及び利点は、添付の図面を参照して限定ではない例証を用いて、以下の好ましい実施形態の説明においてより明らかになるであろう。
【０００９】
　図１及び図２は、全体を参照符号１で示された、腕時計ケース（図示せず）の中間部材に打ち込まれたねじ溝を形成させたチューブ（これも図示せず）にネジ留めされることを意図されるネジ留め式竜頭を示す。
　竜頭１は、中央部分６を取り囲む側方スカート４により広げられたヘッド２で形成される第１の部分を含み、該中央部分６はヘッドに固定されている。ヘッド２は、ロゴ又は商標のような意匠Ｍが施された端面すなわち前面８を含む。中央部分６は、巻真すなわち時刻設定ステムを介して従来の方法で時計仕掛けのムーブメントに接続されるようになっている。図示の実施形態において、中央部分６は、ヘッド２に付加され固定されている。中央部分６は、一方の端部にディスク１２が取り付けられたチューブ１０を含む。典型的には、中央部分６は、例えば溶接、接着、圧着又は他の任意の適切な手段により、ヘッド２内に配置された第１の段部１４に固定されている。側方スカート４は、中間部材に打ち込まれたチューブのネジ山と協働することを意図された内側ネジ山１６をその内側部分に備える。図示の実施形態において、内側ネジ山１６は、スカート４の内壁に固定されたネジリング１８によってその上に付加されている。ここでも同様に、該固定のためにどのような適切な手段も考えられるが、例として、溶接、結合、圧着等を挙げることができる。
【００１０】
　本発明によれば、端面８は、意匠Ｍが施された前面２０ａ及び裏面２０ｂを含む支持部材又は基材２０を含む。基材２０は、前面２０ａが竜頭の外側から見えるよう、竜頭１の回転軸Ａの周りをヘッド２内で回転できるように取り付けられている。図２において、ヘッド２は、第１の段部１４と、基材２０の環状縁部２６が置かれる第２の段部２４とをそれぞれ定める３つの段階的な直径を有する開口２２を含むことが分かるであろう。更に、ブレーキ手段２８が設けられ、該ブレーキ手段は摩擦により作用し、基材２０を中央部分に対して異なった角度方向で保持するように構成されている。従って、中間部材に打ち込まれたチューブに竜頭１が可能な限りネジ込まれると、意匠Ｍを、ブレーキ手段２８により発生される摩擦力に逆らって所望の位置へ容易に角度移動させて、その所望の位置に保持させることができる。従って、基材２０は、ディスク１２の前面１２ａと基材２０の裏面２０ｂとの間で軸方向に把持される。基材、特にその厚さの相対寸法と、ヘッドの相対寸法とは、前面２０ａが竜頭１の前面と同一平面にあり、その結果連続する表面を形成するように選択されるのが好ましい。
【００１１】
　好ましい実施形態によれば、ブレーキ手段２８は、特に回転軸Ａに平行な方向で弾性を有する弾性環状要素を含む。典型的には、天然圧縮性材料又は合成圧縮性材料で作られた連結部材により環状要素を形成させることができる。環状要素２８は、ディスク１２と基材の裏面２０ｂとの間で環状溝３０内に配置され、該環状溝３０は、基材の裏面２０ｂ（図２）か、又はディスク１２の前面１２ａのいずれかに形成することができる。
【００１２】
　所望のブレーキ力は、製造中に環状要素の圧縮率を適合させることにより制御可能であることに留意すべきである。
【００１３】
　また、竜頭に付加された基材を使用することにより、竜頭の製造者はヘッド／側方スカート及び中央部分の在庫を有することができ、異なる意匠、或いは宝石もしくはその類似物のような他の要素を有する基材と共にこれらの要素を使用することが可能となることに留意すべきである。このタイプの竜頭は、異なる材料を容易に組み合わせて、竜頭を形成する様々な要素を作ることをも可能にする。
【００１４】
　添付の請求の範囲に定義される本発明の範囲を逸脱することなく、当業者には明らかな様々な変更及び／又は改良が、本明細書に説明される実施形態に対してなされ得ることが理解されるであろう。具体的には、軸Ａに沿って圧縮性の弾性を有するという条件で、環状連結部材２８の代わりに波状ばねリングを使用することができる。また、基材２０の縁部とヘッド２との間にブレーキ手段を配置することも考えられるであろう。更に別の変形において、基材を予め定められた複数の角度位置に位置付けるために、位置決めする刻み目をブレーキ手段と関連付けることが考えられるであろう。最後に、図示の実施形態において基材２０はプレート又はディスクの形状で作られているが、基材がブレーキ手段に逆らって、中間部材に打ち込まれたチューブにネジ留められた竜頭の部分に相対的に回転することができるならば、他の形状の基材２０が考えられ得ることは言うまでもない。
【図面の簡単な説明】
【００１５】
【図１】本発明によるネジ留め式竜頭の前面図である。
【図２】図１の線ＩＩ−ＩＩに沿った本発明によるネジ留め式竜頭の断面を示す図である。
【符号の説明】
【００１６】
　１　竜頭、　２　ヘッド、　４　側方スカート、　６　中間部材、　８　ヘッドの端面、　１０　チューブ、　１２　ディスク、　２０　基材。
【図１】
2004138613.tif 000003
【図２】
2004138613.tif 000004